【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
一又は複数のプログラムの一覧情報を表示装置に表示させる表示手段と、
該一覧情報の中から選択された複数の前記プログラムの組み合わせによって構成されるグループの構成情報を記憶するグループ情報記憶手段と、
前記グループに対するライセンス情報の入力を受け付け、前記ライセンス情報と前記グループとを関連付けて商品情報として商品情報記憶手段に記録する商品登録手段と、
前記プログラムの購入要求の受信に応じ、前記商品情報記憶手段に記録されている前記商品情報の一覧を返信する販売管理手段とを有するライセンス管理システム。
【請求項２】
販売管理装置と、前記販売管理装置が販売するプログラムのライセンスを管理するライセンス管理装置とを備え、
前記販売管理装置は、
前記表示手段と、
前記グループの構成情報を含む登録要求を前記ライセンス管理装置に送信する送信手段と、
前記商品登録手段と、
前記販売管理手段とを有し、
前記ライセンス管理装置は、
前記登録要求に含まれている前記構成情報を記憶するグループ情報記憶手段を有する請求項１記載のライセンス管理システム。
【請求項３】
前記商品登録手段は、同一の前記グループに対して異なる前記ライセンス情報の入力を受け付け、同一の前記グループに対して複数の商品情報を前記商品情報記憶手段に記録する請求項２記載のライセンス管理システム。
【請求項４】
前記送信手段は、前記グループの構成の変更指示の入力に応じ、前記変更指示に応じた前記構成情報を含むグループの変更要求を前記ライセンス管理装置に送信し、
前記ライセンス管理装置は、前記変更要求に係る前記グループを構成する前記プログラムのライセンスが使用されていない場合は、前記変更要求に含まれる前記構成情報によって前記グループ情報記憶手段に記録されている前記構成情報を更新する請求項２又は３記載のライセンス管理システム。
【請求項５】
前記販売管理手段は、前記商品情報の一覧の中から選択された前記商品情報に係る前記グループの販売を前記ライセンス管理装置に通知し、
前記送信手段は、前記グループの削除指示の入力に応じ、当該グループの削除要求を前記ライセンス管理装置に送信し、
前記ライセンス管理装置は、
前記削除要求に係る前記グループが、前記販売管理手段より販売が通知された前記グループに該当しない場合は、当該削除要求に係る前記グループに関する前記構成情報を前記グループ情報記憶手段より削除する請求項２乃至４いずれか一項記載のライセンス管理システム。
【請求項６】
請求項２乃至５いずれか一項記載の販売管理装置。
【請求項７】
請求項２乃至５いずれか一項記載のライセンス管理装置。
【請求項８】
一又は複数のプログラムの一覧情報を表示装置に表示させる表示手順と、
該一覧情報の中から選択された複数の前記プログラムの組み合わせによって構成されるグループの構成情報をグループ情報記憶手段に記録するグループ情報記録手順と、
前記グループに対するライセンス情報の入力を受け付け、前記ライセンス情報と前記グループとを関連付けて商品情報として商品情報記憶手段に記録する商品登録手順と、
前記プログラムの購入要求の受信に応じ、前記商品情報記憶手段に記録されている前記商品情報の一覧を返信する販売管理手順とを一以上のコンピュータを備えるライセンス管理システムが実行するライセンス管理方法。
【請求項９】
前記ライセンス管理システムは、販売管理装置と、前記販売管理装置が販売するプログラムのライセンスを管理するライセンス管理装置を備え、
前記販売管理装置は、
前記表示手順と、
前記グループの構成情報を含む登録要求を前記ライセンス管理装置に送信するグループ登録要求手順と、
前記商品登録手順と、
前記販売管理手順とを実行し、
前記ライセンス管理装置は、
前記登録要求に含まれている前記構成情報をグループ情報記憶手段に記録する請求項８記載のライセンス管理方法。
【請求項１０】
前記商品登録手順は、同一の前記グループに対して異なる前記ライセンス情報の入力を受け付け、同一の前記グループに対して複数の商品情報を前記商品情報記憶手段に記録する請求項９記載のライセンス管理方法。
【請求項１１】
前記販売管理装置は、前記グループの構成の変更指示の入力に応じ、前記変更指示に応じた前記構成情報を含むグループの変更要求を前記ライセンス管理装置に送信するグループ変更要求手順を実行し、
前記ライセンス管理装置は、前記変更要求に係る前記グループを構成する前記プログラムのライセンスが使用されていない場合は、前記変更要求に含まれる前記構成情報によって前記グループ情報記憶手段に記録されている前記構成情報を更新する請求項９又は１０記載のライセンス管理方法。
【請求項１２】
前記販売管理手順は、前記商品情報の一覧の中から選択された前記商品情報に係る前記グループの販売を前記ライセンス管理装置に通知し、
前記販売管理装置は、前記グループの削除指示の入力に応じ、当該グループの削除要求を前記ライセンス管理装置に送信するグループ削除要求手順を実行し、
前記ライセンス管理装置は、前記削除要求に係る前記グループが、前記販売管理手順より販売が通知された前記グループに該当しない場合は、当該削除要求に係る前記グループに関する前記構成情報を前記グループ情報記憶手段より削除する請求項９乃至１１いずれか一項記載のライセンス管理方法。
【請求項１３】
一又は複数のプログラムの一覧情報を表示させ表示装置に表示させる表示手順と、
該一覧情報の中から選択された複数の前記プログラムの組み合わせによって構成されるグループの構成情報をグループ情報記憶手段に記録するグループ情報記録手順と、
前記グループに対するライセンス情報の入力を受け付け、前記ライセンス情報と前記グループとを関連付けて商品情報として商品情報記憶手段に記録する商品登録手順と、
前記プログラムの購入要求の受信に応じ、前記商品情報記憶手段に記録されている前記商品情報の一覧を返信する販売管理手順とを一以上のコンピュータを備えるライセンス管理システムに実行させるプログラム。
【請求項１４】
前記ライセンス管理システムは、販売管理装置と、前記販売管理装置が販売するプログラムのライセンスを管理するライセンス管理装置を備え、
前記販売管理装置に、
前記表示手順と、
前記グループの構成情報を含む登録要求を前記ライセンス管理装置に送信するグループ登録要求手順と、
前記商品登録手順と、
前記販売管理手順とを実行させ、
前記ライセンス管理装置に、
前記登録要求に含まれている前記構成情報をグループ情報記憶手段に記録させる請求項１３記載のプログラム。
【請求項１５】
前記商品登録手順は、同一の前記グループに対して異なる前記ライセンス情報の入力を受け付け、同一の前記グループに対して複数の商品情報を前記商品情報記憶手段に記録する請求項１４記載のプログラム。
【請求項１６】
前記販売管理装置に、前記グループの構成の変更指示の入力に応じ、前記変更指示に応じた前記構成情報を含むグループの変更要求を前記ライセンス管理装置に送信するグループ変更要求手順を実行させ、
前記ライセンス管理装置は、前記変更要求に係る前記グループを構成する前記プログラムのライセンスが使用されていない場合は、前記変更要求に含まれる前記構成情報によって前記グループ情報記憶手段に記録されている前記構成情報を更新する請求項１４又は１５記載のプログラム。
【請求項１７】
前記販売管理手順は、前記商品情報の一覧の中から選択された前記商品情報に係る前記グループの販売を前記ライセンス管理装置に通知し、
前記販売管理装置に、前記グループの削除指示の入力に応じ、当該グループの削除要求を前記ライセンス管理装置に送信するグループ削除要求手順を実行させ、
前記ライセンス管理装置は、前記削除要求に係る前記グループが、前記販売管理手順より販売が通知された前記グループに該当しない場合は、当該削除要求に係る前記グループに関する前記構成情報を前記グループ情報記憶手段より削除する請求項１４乃至１６いずれか一項記載のプログラム。
【手続補正２】
【補正対象書類名】明細書
【補正対象項目名】０００７
【補正方法】変更
【補正の内容】
【０００７】
そこで上記課題を解決するため、ライセンス管理システムは、一又は複数のプログラムの一覧情報を表示装置に表示させる表示手段と、該一覧情報の中から選択された複数の前記プログラムの組み合わせによって構成されるグループの構成情報を記憶するグループ情報記憶手段と、前記グループに対するライセンス情報の入力を受け付け、前記ライセンス情報と前記グループとを関連付けて商品情報として商品情報記憶手段に記録する商品登録手段と、前記プログラムの購入要求の受信に応じ、前記商品情報記憶手段に記録されている前記商品情報の一覧を返信する販売管理手段とを有する。
【手続補正３】
【補正対象書類名】明細書
【補正対象項目名】０００８
【補正方法】変更
【補正の内容】
【０００８】
このようなライセンス管理システムでは、流通単位とするプログラムの組み合わせの自由度を向上させることができる。